(57)【要約】【課題】  柱材の補強を行う場合に、柱材に損傷を与えることなく補強具を取付けることのできる連結部材を提供する。【解決手段】  木造建築物における柱、梁等の柱材の補強を行うための補強部材５の連結部材２１であって、前記柱材１の平面に接触自在の接触面２１Ｆを備えた連結部材２１Ａの両側に、連結具挿通用の挿通孔２１Ｂを備えたフランジ部２１Ｃを備え、かつ前記連結部材本体２１Ａに、固定具挿通用の挿通孔２１Ｄを備えた補強部材の連結部材であり、また木造建築物における柱、梁等の柱材の補強を行うための補強部材の連結部材であって、前記柱材１の角部１Ａの両側の平面１Ｂに接触自在の接触面２３Ｆを直交して備えた連結部材本体２３Ａの両側に、連結具挿通用の挿通孔を備えたフランジ部２３Ｃを備えている補強部材の連結部材である。【選択図】  図１
2005061193.tif 000002
【特許請求の範囲】
【請求項１】
木造建築物における柱、梁、桁や束等の角柱材の補強を行うための補強具の連結部材であって、前記角柱材の平面に接触自在の接触面を備えた連結部材の両側に、連結具挿通用の挿通孔を備えたフランジ部を備え、かつ前記連結部材本体に、固定具挿通用の挿通孔を備えたことを特徴とする木造建築物における補強具の連結部材。
【請求項２】
木造建築物における柱、梁、桁や束等の角柱材の補強を行うための補強具の連結部材であって、前記角柱材の角部の両側の平面に接触自在の接触面を直交して備えた連結部材本体の両側に、連結具挿通用の挿通孔を備えたフランジ部を備えていることを特徴とする木造建築物における補強具の連結部材。
【請求項３】
木造建築物における柱、梁、桁や束等の柱材の補強を行うための補強具の連結部材であって、前記柱材の曲面に接触自在の接触面を備えた連結部材本体の両側に、連結具挿通用の挿通孔を備えたフランジ部を備えていることを特徴とする木造建築物における補強具の連結部材。
【請求項４】
木造建築物における柱、梁、桁や束等の角柱材の平面に接触自在の接触面を備えた複数の第一の連結部材本体の両側に、連結具挿通用の挿通孔を備えたフランジ部を備え、前記角柱材の角部の両側の平面に接触自在の接触面を直交して備えた複数の第二の連結部材本体の両側に、連結具挿通用の挿通孔を備えたフランジ部を備え、互いに隣接した前記第一、第二の連結部材本体のフランジ部に備えた挿通孔に連結具を挿通して、前記角柱材を囲繞した環状に構成してなることを特徴とする木造建築物における補強具。
【請求項５】
木造建築物における柱、梁、桁や束等の角柱材の平面に接触自在の接触面を備えた複数の第一の連結部材本体の両側に、連結具挿通用の挿通孔を備えたフランジ部を備え、前記角柱材の角部の両側の平面に接触自在の接触面を直交して備えた複数の第二の連結部材本体の両側に、連結具挿通用の挿通孔を備えたフランジ部を備え、互いに隣接した前記第一、第二の連結部材本体のフランジ部に備えた挿通孔に連結具を挿通して、前記角柱材を補強した構成であることを特徴とする木造建築物における補強具。
【発明の詳細な説明】
【技術分野】
【０００１】  本発明は、木造建築物における例えば柱や梁、桁や束等のごとき柱材の補強を行う補強具の連結部材及び補強具に関する。
【背景技術】
【０００２】  従来、木造建築物における柱、梁、桁や束柱などのごとき柱材にひび割れが生じた場合、このひび割れを生じた柱材をそのまま放置すると、地震等の揺れに対して危険であるから、補強する必要がある。【０００３】  また、例えば木造建築物の老朽化により梁と束柱や、他の柱と柱との接続部の補強を必要とする場合がある。
【発明の開示】
【発明が解決しようとする課題】
【０００４】  ひび割れを生じた柱材の補強や例えば梁と束柱との接続部の補強を行う場合、補強具を柱材（梁を含む）に取付ける必要がある。この場合、上記柱材に穴をあけたり、ねじをねじ込む構成であると、ひび割れを生じている柱材にさらに損傷部を与えることになり望ましいものではない。そこで、柱材を取り囲むように環状に連結することができ、かつ柱材を締付けることのできる補強具の連結部材及び補強具を提供しようとするものである。
【課題を解決するための手段】
【０００５】  本発明は、木造建築物における柱、梁、桁や束等の角柱材の補強を行うための補強具の連結部材であって、前記角柱材の平面に接触自在の接触面を備えた連結部材の両側に、連結具挿通用の挿通孔を備えたフランジ部を備え、かつ前記連結部材本体に、固定具挿通用の挿通孔を備えた構成である。【０００６】  また、本発明は木造建築物における柱、梁、桁や束等の角柱材の補強を行うための補強具の連結部材であって、前記角柱材の角部の両側の平面に接触自在の接触面を直交して備えた連結部材本体の両側に、連結具挿通用の挿通孔を備えたフランジ部を備えた構成である。【０００７】  また、本発明は木造建築物における柱、梁、桁や束等の柱材の補強を行うための補強具の連結部材であって、前記柱材の曲面に接触自在の接触面を備えた連結部材本体の両側に、連結具挿通用の挿通孔を備えたフランジ部を備えている構成である。【０００８】  また、本発明は木造建築物における柱、梁、桁や束等の角柱材の平面に接触自在の接触面を備えた複数の第一の連結部材本体の両側に、連結具挿通用の挿通孔を備えたフランジ部を備え、前記角柱材の角部の両側の平面に接触自在の接触面を直交して備えた複数の第二の連結部材本体の両側に、連結具挿通用の挿通孔を備えたフランジ部を備え、互いに隣接した前記第一、第二の連結部材本体のフランジ部に備えた挿通孔に連結具を挿通して、前記角柱材を囲繞した環状に構成してなるものである。【０００９】  また、本発明は木造建築物における柱、梁、桁や束等の角柱材の平面に接触自在の接触面を備えた複数の第一の連結部材本体の両側に、連結具挿通用の挿通孔を備えたフランジ部を備え、前記角柱材の角部の両側の平面に接触自在の接触面を直交して備えた複数の第二の連結部材本体の両側に、連結具挿通用の挿通孔を備えたフランジ部を備え、互いに隣接した前記第一、第二の連結部材本体のフランジ部に備えた挿通孔に連結具を挿通して、前記角柱材を補強した構成である。
【発明の効果】
【００１０】  本発明によれば、補強すべき柱材の周囲に連結部材を配置し、連結部材本体のフランジ部に備えた挿通孔にボルト等の連結具を挿通して隣接した連結部材本体を互いに連結することにより、全体として柱材を取り囲む環状に構成することができ、かつ前記連結具を締付けることによって柱材を締付けることができるものであり、柱材に損傷等を付与することなく補強を行うことができるものである。
【発明を実施するための最良の形態】
【００１１】  図１は、水平に設けた柱材の一例としての梁１と、この梁１に垂直に接続した柱材の一例としての束柱３との接続部の補強構造を示すものである。前記梁１は、角材よりなるものであって、図１において紙面に垂直な方向に水平に設けられてある。前記束柱３は、前記梁１に対して垂直に接続してある。【００１２】  ところで、本例においては、角材よりなる梁や束柱を角柱材として例示するが、木造建築物において断面形状が四角形状を呈する構造物は、本発明における柱材に包含されるものである。【００１３】  前記梁１と束柱３との接続部の補強を行うために、前記梁１と束柱３との交差部には、図２に示すように、側面視がほぼ三角形状を呈する補強部材５が設けられている。上記補強部材５は、前記梁１叉は束柱３の一方に接続自在の接触板７を直角に備え、かつ上記接触板７の両側部にほぼ三角形状の補強板９を一体に備えた構成である。【００１４】  そして、前記接触板７の複数箇所には、例えばねじ等の固定具１１（図１参照）を挿通自在の長孔よりなる挿通孔１３が形成してあり、また前記補強板９の複数箇所には、例えばボルト等のごとき連結具１５（図１参照）を挿通自在の挿通孔１７が設けられている。また、前記両補強板９の間には、両端部を補強板９に固定した補強ロッド１９が設けられている。【００１５】  前記補強部材５は、前記束柱３に対しては、前記挿通孔１３を貫通して束柱３にねじ込んだねじなどのごとき前記固定具１１によって固定してあり、前記梁１に対しては、梁１を取り囲んで梁１を締付けた第一、第二の連結部材２１、２３を介して取付けてある。【００１６】  前記第一の連結部材２１は、図３に示すように、角柱材としての前記梁１や束柱３の平面に接触自在の接触面２１Ｆを備えた連結部材本体２１Ａを備えており、この連結部材本体２１の両側には、例えばボルト等のごとき前記連結具１５を挿通自在の挿通孔２１Ｂを両端部付近に備えたフランジ部２１Ｃが直角に備えられている。さらに、前記連結部本体２１Ａには、例えばねじ等のごとき前記固定具１１を挿通自在の長孔の挿通孔２１Ｄが設けられている。【００１７】  前記第二の連結部材２３は、図４に示すように、角柱材の一例としての前記梁１や束柱３の角部１Ａの両側の平面１Ｂに接触自在の接触面２３Ｆを直交して備えた断面Ｌ字形状の連結部本体２３Ａを備えており、この連結部本体２３Ａの両側には、ボルト等のごとき前記連結具１５を挿通自在の挿通孔２３Ｂを両端部付近に備えたフランジ部２３Ｃが連結部本体２３Ａに直角に備えられている。【００１８】  より詳細には、前記連結部本体２３Ａは断面形状がＬ字形状をなすものであり、この連結部本体２３Ａの両側に前記フランジ部２３Ｃを直角に備えた構成であるから、前記連結部材２３の断面形状は大略Ｍ形状叉はＷ形状に形成してある。【００１９】  以上のごとき構成において、図１に示すように、角柱材の一例として梁１の各角部１Ａの両側面１Ｂに、前記第二の連結部材２３における直交した接触面２３Ｆを当接接触して配置する。そして、前記各第二の連結部材２３の間において、前記梁１の平面に前記第一の連結部材２１の接触面２１Ｆを接触して配置する。【００２０】  その後、前記補強部材５に備���た挿通孔１７と隣接した第二の連結部材２３のフランジ部２１Ｃに備えた挿通孔２３Ｂにボルトのごとき連結具１５を挿通しナットを締付けることによって前記補強部材５と第二の連結部材２３とを一体的に連結する。【００２１】  また、前記第一の連結部材２１と隣接した第二の連結部材２３の互いに対応した挿通孔２１Ｂ、２３Ｂにボルト等の連結具１５を挿通し、ナットを締付けることにより、図１に示すように、前記梁１を取り囲むように第一、第二の連結部材２１、２３を取付け、かつ前記補強部材５を一体的に取付けることができるものである。この際、連結具１５を締付けることにより、環状に連結した複数の連結部材２１、２３によって梁１を締付けることが可能なものである。【００２２】  すなわち、前記補強部材５を梁１に一体的に取付けるに際し、梁１に何等の損傷を与えることなく取付けることができ、かつ梁１を締付けることができるので、梁１にひび割れが生じているような場合であっても、何等の問題なしに梁１、束柱等の柱材及びその連結部等の補強を行うことができるものである。【００２３】  なお、前記説明においては、束柱３に補強部材５を固定する構成として、挿通孔１３を貫通した固定具１１を利用した場合について説明したが、前記束柱３を取り囲むように複数の連結部材２１、２３を配置した構成とすることにより、梁１の対する補強部材５の取付けと同様の構成でもって束柱３に補強部材５を一体的に取付けることができるものである。さらに、前記第一の連結部材２１は、挿通孔２１Ｄを挿通したねじ等の固定具を利用して角柱材に固定することも可能である。【００２４】  また、前記複数の連結部材２１、２３を環状に連結する場合について説明したが、天井や壁等の存在によって複数の連結部材２１、２３を環状に連結することができない場合もある。この場合は、前記第一の連結部材２１に設けた挿通孔２１Ｄを挿通したねじ等の固定具によって連結部材２１を柱材に固定することもできるものである。【００２５】  さらに、前記第二の連結部材２３の変更形態として、柱材の角部が円弧面などのごとき適宜の曲面の場合には、図５（Ａ）（Ｂ）に示すように、接触面２３Ｆを柱材の曲面にほぼ対応した曲面に形成することが良いものである。
【図面の簡単な説明】
【００２６】
【図１】  本発明の実施形態に係る連結部材の使用状態を示す説明図である。
【図２】  補強部材の斜視説明図である。
【図３】  連結部材の斜視説明図である。
【図４】  連結部材の斜視説明図である。
【図５】  接触面が曲面の場合の連結部材の斜視説明図である。
【符号の説明】
【００２７】    １                梁
５                補強部材
１１              固定具
１３、１７        挿通孔
１５              連結具
２１、２３        連結部材
２１Ａ、２３Ｂ                    連結部材本体
２１Ｂ、２３Ｂ、２１Ｄ、２３Ｄ    挿通孔
２１Ｃ、２３Ｃ    フランジ部
【図１】
2005061193.tif 000003
【図２】
2005061193.tif 000004
【図３】
2005061193.tif 000005
【図４】
2005061193.tif 000006
【図５】
2005061193.tif 000007